(57)【要約】【課題】  太陽電池ストリングを構成する太陽電池セルの直列数が少ないと、パーシャルシェイドが発生した場合の太陽電池ストリングの電圧降下が大きく、太陽電池ストリングの発電電力が大きく低下してしまう。そのため太陽電池セルに逆電圧が加わるのを防ぐバイパスダイオードは、太陽電池セルの破壊防止の意味しかなく、パーシャルシェイドが発生した場合の電流バイパスとしても、あまり発電に寄与していない。【解決手段】  比較回路9は、最小セル電圧選択回路7が選択し出力する最小セル電圧Vcを入力し、規定電圧設定部8に設定された規定電圧Vsを入力し、Vs＜Vcであればスイッチング制御回路10に停止信号14を出力する。スイッチング制御回路10は、比較回路9が停止信号14を出力するとゲート駆動信号を停止して、比較回路9が停止信号14の出力をやめるまでゲート駆動信号を停止する。【選択図】    図4
2005276942.tif 000002
【特許請求の範囲】
【請求項１】
一つ以上の太陽電池セルからなる太陽電池ブロックが複数直列接続された太陽電池モジュールと、
前記太陽電池ブロックそれぞれに設けられ、前記太陽電池ブロックの両端電圧を検出する複数の電圧検出手段と、
前記太陽電池モジュールから出力される電力を変換する電力変換手段と、
前記複数の電圧検出手段によって検出される両端電圧と所定電圧を比較した結果に基づき、前記電力変換手段を制御する制御手段とを有することを特徴とする太陽光発電装置。
【請求項２】
前記太陽電池ブロックは一つの太陽電池セルであることを特徴とする請求項1に記載された太陽光発電装置。
【請求項３】
前記制御手段は、前記電圧検出手段の何れかが検出した両端電圧が前記所定電圧を超えた場合、前記電力変換手段の電力変換動作を停止することを特徴とする請求項1または請求項2に記載された太陽光発電装置。
【請求項４】
前記制御手段は、前記複数の電圧検出手段が検出する両端電圧が前記所定電圧を超えないように、前記電力変換手段の電力変換動作を制御することを特徴とする請求項1または請求項2に記載された太陽光発電装置。
【請求項５】
前記制御手段は、前記複数の電圧検出手段が検出する両端電圧が前記所定電圧を超えなければ前記電力変換手段を最大電力追従運転し、前記複数の電圧検出手段が検出する両端電圧が前記所定電圧を超える場合、その両端電圧が前記所定電圧を超えない範囲になるように前記電力変換手段を最大電力追従運転することを特徴とする請求項1または請求項2に記載された太陽光発電装置。
【請求項６】
前記所定電圧は、前記太陽電池ブロックの逆耐電圧に基づき設定されることを特徴とする請求項1から請求項5の何れかに記載された太陽光発電装置。
【請求項７】
さらに、前記電力変換手段から出力される電力を商用交流電力に変換するインバータを有することを特徴とする請求項1から請求項6の何れかに記載された太陽光発電装置。
【請求項８】
請求項1から請求項6の何れかに記載された太陽光発電装置を複数有し、
さらに、前記複数の太陽光発電装置から出力される電力を商用交流電力に変換するインバータを有することを特徴とする太陽光発電システム。
【請求項９】
一つ以上の太陽電池セルからなる太陽電池ブロックが複数直列接続された太陽電池モジュール、前記太陽電池ブロックそれぞれに設けられ、前記太陽電池ブロックの両端電圧を検出する複数の電圧検出手段、および、前記太陽電池モジュールから出力される電力を変換する電力変換手段を有する太陽光発電装置の制御方法であって、
前記複数の電圧検出手段によって検出される両端電圧と所定電圧を比較した結果に基づき、前記電力変換手段を制御することを特徴とする制御方法。
【発明の詳細な説明】
【技術分野】
【０００１】
本発明は太陽光発電装置およびシステム、並びに、その制御方法に関する。
【背景技術】
【０００２】
一般に、太陽電池モジュールは多数の太陽電池セルを直列に接続して構成され、その太陽電池モジュールを直列接続してストリングを構成することで、インバータやDC/DCコンバータへ供給する直流発電電力を得ている。そして、インバータが出力する交流電力を商用電力系統へ連系したり、DC/DCコンバータが出力する直流電力を負荷に供給して、太陽電池モジュールの発電電力を有効利用する。
【０００３】
多数の太陽電池セルが直列接続されている太陽電池モジュールにおいては、その一部エリアの日射が陰る（以下「パーシャルシェイド」と呼ぶ）などして、その一部エリアの太陽電池セルが発電しなくなった（もしくは発電量が減少した）場合、その太陽電池セルには逆電圧が印加されることになる。太陽電池セルは、その構造上、耐えうる逆電圧には限界がある。そこで、図1に示す太陽電池モジュール101のように、各太陽電池セル102A-102Dに並列にバイパスダイオード103A-103Dを設けて、太陽電池セル102A-102Dに大きな逆電圧が加わることを防いでいる。
【０００４】
しかし、太陽電池セルに並列にバイパスダイオードを設ける技術は、以下の問題を有する。
【０００５】
（1）太陽電池セルの逆耐電圧がバイパスダイオードの順方向降下電圧より低ければ、バイパスダイオードの接続が逆電圧対策とはなりえず、そのような太陽電池セルは直列接続して使用することができない。
【０００６】
（2）バイパスダイオードは、太陽電池セルの最大出力電流Iscを流すのに充分な電流容量を必要とし、決して安価なものではない。さらに、バイパスダイオードでは、その順方向降下電圧とIscを乗じた電力損失が伴うが、この損失電力はバイパスダイオードの熱損失となるので、バイパスダイオードの放熱も考慮しなくてはならず、太陽電池モジュールのコストアップの要因になる。
【０００７】
【特許文献１】特開平3-24768号公報
【発明の開示】
【発明が解決しようとする課題】
【０００８】
本発明は、上述の問題を個々にまたはまとめて解決するもので、太陽電池セルのバイパスダイオードを不要にすることを目的とする。
【０００９】
また、逆耐電圧が低い太陽電池セルの直列接続使用を可能にすることを他の目的とする。
【課題を解決するための手段】
【００１０】
本発明は、前記の目的を達成する一手段として、以下の構成を備える。
【００１１】
本発明の太陽光発電装置は、一つ以上の太陽電池セルからなる太陽電池ブロックが複数直列接続された太陽電池モジュールと、前記太陽電池ブロックそれぞれに設けられ、前記太陽電池ブロックの両端電圧を検出する複数の電圧検出手段と、前記太陽電池モジュールから出力される電力を変換する電力変換手段と、前記複数の電圧検出手段によって検出される両端電圧と所定電圧を比較した結果に基づき、前記電力変換手段を制御する制御手段とを有することを特徴とする。
【００１２】
本発明の太陽光発電システムは、上記の太陽光発電装置を複数有し、さらに、前記複数の太陽光発電装置から出力される電力を商用交流電力に変換するインバータを有することを特徴とする。
【００１３】
本発明にかかる制御方法は、一つ以上の太陽電池セルからなる太陽電池ブロックが複数直列接続された太陽電池モジュール、前記太陽電池ブロックそれぞれに設けられ、前記太陽電池ブロックの両端電圧を検出する複数の電圧検出手段、および、前記太陽電池モジュールから出力される電力を変換する電力変換手段を有する太陽光発電装置の制御方法であって、前記複数の電圧検出手段によって検出される両端電圧と所定電圧を比較した結果に基づき、前記電力変換手段を制御することを特徴とする。
【発明の効果】
【００１４】
本発明によれば、太陽電池セルのバイパスダイオードを不要にすることができる。そのため、バイパスダイオードの放熱対策に関する太陽電池モジュールのコストアップ要因をなくすことができる。また、バイパスダイオードは大きな熱損失を伴うために集積化が困難である一方、電圧検出部、電力変換部を制御する制御部等は集積化が可能であり、量産効果によりコストダウンが期待される。従って、例えば、後述する電圧検出部、最小セル電圧選択回路、規定電圧設定部、比較回路およびスイッチング制御回路は、熱損失をほとんど発生しない弱電力回路であるから、これらを一体化したICチップにすることで、コストダウンを図ることが望ましい。また、そして、例えば、セルに逆電圧が加わることを防止する制御回路を電力変換装置のスイッチング制御回路と一体化してICチップ化することにより、コストダウンを図ることができる。
【００１５】
また、逆耐電圧が低い太陽電池セルの直列接続使用を可能にすることができる。
【発明を実施するための最良の形態】
【００１６】
以下、本発明にかかる実施例の太陽光発電装置およびシステムを、図面を参照して詳細に説明する。
【００１７】
［概要］
発明者らは、少ない太陽電池モジュールで太陽電池の直列体（以下「太陽電池ストリング」と呼ぶ）を構成した場合、バイパスダイオードの効果が小さいことに注目した。その理由は、太陽電池ストリングを構成する太陽電池セルの直列数が少ないが故に、パーシャルシェイドが発生した場合の太陽電池ストリングの電圧降下が大きく、太陽電池ストリングの発電電力が大きく低下してしまう。すなわち、バイパスダイオードは、太陽電池セルの破壊防止の意味しかなく、パーシャルシェイドが発生した場合の電流バイパスとしても、あまり発電に寄与していないといえる。
【００１８】
また、多くの太陽電池ストリングを並列接続して太陽光発電システムを構成する場合は、一つの太陽電池ストリングの出力を停止または減少させても、システム全体に与える影響が少ない。
【００１９】
太陽電池ストリングの出力をすべて停止または減少させれば、太陽電池モジュールに流れる電流が零になるか低下するので、各太陽電池セルに印加される逆電圧もなくなるか大幅に減少し、バイパスダイオードを削除しても太陽電池セルが破壊することはない。さらに、太陽光発電システムを構成する太陽光発電装置として、太陽電池モジュールごとに電力変換器を有する、ACモジュールやDC/DCコンバータ付き太陽電池モジュールを用いれば、太陽電池モジュールに出力をコントロールする手段が内蔵されたことになり、容易に太陽電池モジュールの出力をコントロールすることができる。
【００２０】
さらには、一つのシステムに、小容量の電力変換器を多数設ける構成となるために、電力変換器の量産化が見込める。そこで、本発明の制御回路と、電力変換装置のスイッチング制御回路を一体化してICチップ化することにより安価に構成することが可能となる。その結果、大電流が流れ、大きく発熱するためにICチップ化が困難なバイパスダイオードを有しない安価な太陽光発電システムを構築することができる。
【実施例１】
【００２１】
［構成］
図2は太陽光発電システムの概観図、図3は太陽光発電システムの構成例を示すブロック図である。
【００２２】
図2、3に示すように、実施例1の太陽光発電システムは、複数のDC/DCコンバータ付き太陽電池モジュール1で発電された直流電力を、インバータ2によって交流電力に変換し、商用電力系統3へ連系する。なお、図2、3には、三台の太陽電池モジュール1を並列接続した系統連系システムを例として示すが、太陽電池モジュール1の並列数は太陽電池モジュール1の設置面積や発電電力に応じて任意に設定可能である。
【００２３】
● 太陽電池モジュール1
太陽電池モジュール1aとDC/DCコンバータ1bから構成される太陽電池モジュール1は、太陽光が遮られることなく照射される屋根などの屋外に設置され、太陽電池セルの直列接続数を制限して比較的低い出力電圧になるように構成される。
【００２４】
太陽電池モジュール1aの近傍には、低電圧大電流の太陽電池モジュール1aの出力電力を昇圧して高電圧小電流の直流電力に変換するDC/DCコンバータ1bを設ける。これは、屋内にあるインバータ2までの比較的長い送電路の送電ロスを低減することを目的とする。
【００２５】
DC/DCコンバータ1bは、スイッチング動作のオンオフ比（デューティ比）を変えることで、出力電圧（例えば、約320V）を一定にしつつも、入力源である太陽電池モジュール1aの出力動作点を変えることができる。そのため、DC/DCコンバータ1bは、その入力電力もしくは出力電力を監視して太陽電池モジュール1aの動作点を変えることで、太陽電池モジュール1aの最大電力動作点追尾(MPPT)制御を行う。
【００２６】
なお、太陽電池モジュール1は、定格時（日射1kW/m2）に約60Wの出力電力を得られるものとする。
【００２７】
● インバータ2
インバータ2は、太陽電池モジュール1から出力される直流電力をブリッジ回路により高周波スイッチングして商用交流電力に変換する。インバータ2は、公知公用の出力電流制御や、出力電圧制御を行うことで、入力した直流電力を商用電力系統3に連系する。
【００２８】
なお、インバータ2は、三台の太陽電池モジュール1から入力される直流電力（最大60W、約320V）を単相三線式の商用交流電力（200V、約180W）に変換するものとする。
【００２９】
［太陽電池モジュールの構成］
図4は太陽電池モジュール1の詳細な構成例を示す図である。
【００３０】
太陽電池モジュール1aは、直列接続された複数の太陽電池セル4を有する。また、太陽電池モジュール1は、後述するセル電圧検出部6、セル電圧最小値選択回路7、規定電圧設定部8、比較回路9、スイッチング制御回路10、DC/DCコンバータ主回路11などを有する。
【００３１】
● 太陽電池セル4
太陽電池セル4の種類としては、光電変換部にアモルファスシリコン系を用いたものや、多結晶シリコン、結晶シリコンを用いたものなどがあるが、本実施例で使用する太陽電池セル4はどのような種類でもかまわない。一般的に、アモルファスシリコンを用いた太陽電池は薄膜で、結晶シリコンなどに比べて逆耐電圧が低い傾向がある。本実施例においては、アモルファスシリコンを三層に積層した、以下のような特性をもつ太陽電池セル4を使用することとする。
定格日射量：1kW/m2  周囲温度25℃
短絡電流Isc：12.0A
開放電圧Voc：2.0V
最大動作点電流Ipm：10.0A
最大動作点電圧Vpm：1.5V
最大出力Pmax：15W
逆耐電圧：-2.0V
【００３２】
● 太陽電池モジュール1a
太陽電池モジュール1aを構成する太陽電池セル4の直列数は、少なすぎるとDC/DCコンバータ1bの昇圧比が高くなり、DC/DCコンバータ1bの変換効率が低下する。一方、太陽電池セル4を直列接続する際、電位が異なる太陽電池セル4間に発電しない非発電領域を設ける必要があるため、直列数を増やすと太陽電池モジュール1aのアクティブエリア（発電領域）が減少し、太陽電池モジュール1aの変換効率が低下する。このような事情を鑑みて、本実施例においては、太陽電池セル4を四つ直列接続して太陽電池モジュール1aを構成することにする。太陽電池モジュール1aの定格時出力特性は以下のようになる。
定格日射量：1kW/m2  周囲温度25℃
短絡電流Isc：12.0A
開放電圧Voc：8.0V
最大動作点電流Ipm：10.0A
最大動作点電圧Vpm：6.0V
最大出力Pmax：60W
【００３３】
なお、本実施例では、この太陽電池モジュール1aのみで太陽電池ストリング（太陽電池モジュール直列体）を構成している。
【００３４】
● セル電圧検出部6
四つの太陽電池セル4A-4Dのそれぞれに設けられたセル電圧検出回路6は、各太陽電池セルの正極と負極の電位差を検出可能であればどのような構成でもよい。本実施例では、オペアンプを使用して増幅率一倍の差動増幅器を構成し、セル電圧検出回路6とする。
【００３５】
なお、オペアンプで構成されるセル電圧検出部6が負電圧を出力可能にするために、DC/DCコンバータ1bの入力端に小型のDC/DCコンバータ（不図示）を設けて、オペアンプに負電源を供給するなどが必要である。
【００３６】
● 最小セル電圧選択回路7
最小セル電圧選択回路7は、セル電圧検出回路6の出力をすべて入力し、それらの最小値を選択して出力する。セル電圧の最小値は、影などにより発電量が最も低下した太陽電池セル4のセル電圧を示し、陰りの程度によってセル電圧は負（逆電圧状態）にもなりうる。
【００３７】
● 規定電圧設定部8
規定電圧設定部8は、太陽電池セル4の逆耐電圧を考慮した規定電圧を設定するためのものである。本実施例の太陽電池セル4の逆耐電圧が-2.0Vに余裕をみて、例えば、規定電圧として-1.2Vを設定する。なお、規定電圧設定部8は、可変抵抗器などを使用して、規定電圧を任意に調整できるようにしてもよいし、固定抵抗器の分圧によって規定電圧を固定にしてもよい。
【００３８】
● 比較回路9
比較回路9には、最小セル電圧選択回路7から、影などにより発電量が最も低下した太陽電池セル4のセル電圧（最小セル電圧）と、規定電圧設定部8から規定電圧（本実施例では-1.2V）が入力される。比較回路9は、最小セル電圧が規定電圧を下回わる場合、DC/DCコンバータを停止する旨を示す停止信号14をスイッチング制御回路10に出力する。
【００３９】
なお、最小セル電圧選択回路7を用いずに、セル電圧検出回路6のすべての出力と、規定電圧設定部8の規定電圧を比較回路9に入力し、セル電圧の何れかが規定電圧を下回った場合に停止信号14を出力する構成にしてもよい。
【００４０】
これらのセル電圧検出部6、最小セル電圧選択回路7、規定電圧設定部8、比較回路9、スイッチング制御回路10は、熱損失をほとんど発生しない弱電力回路であるから、一体化してICチップ化する構成とし、コストダウンを図ることが望ましい。
【００４１】
［太陽電池モジュールの動作］
太陽電池モジュール1は、以下のように動作する。
【００４２】
● パーシャルシェイドが発生していない通常の動作
図5は定格日射（1kW/m2）時に、すべてのセルが蔭になっていない状態の太陽電池セル4のIVカーブを、図6は太陽電池モジュール1aのIVカーブを示す図である。
【００４３】
図6の特性をもつ太陽電池モジュール1aの出力電力を入力するDC/DCコンバータ1bのスイッチング制御回路10は、入力電力検出部12の検出値を監視しながらスイッチング素子13のデューティ比を調整することで、太陽電池モジュール1aが最大出力動作点（図6に示すA点）で動作するように太陽電池モジュール1aの動作点を制御する。このときの太陽電池モジュール1aの出力は図6に示すB点（6.0V、10A）であるから、すべての太陽電池セル4にも10Aの電流が流れ、太陽電池セル4の動作点は図5に示すC点（1.5V、10A）になる。
【００４４】
● パーシャルシェイド時の動作
次に、四つの太陽電池セル4のうち一つが蔭になった場合の動作を説明する。ただし、日射条件は、定格日射（1kW/m2）とする。図7は蔭になった太陽電池セル4のIVカーブを、図8は四つの太陽電池セル4の一つが蔭になった場合の太陽電池モジュール1aのIVカーブを示す図である。
【００４５】
通常の動作と同様に、DC/DCコンバータ1bのスイッチング制御回路10は、スイッチング素子13のデューティ比を調整することで、最大出力動作点（図8に示すD点、30.6W）で動作するように太陽電池モジュール1aがの動作点を制御する。このとき、太陽電池モジュール1aの出力は図8に示すE点（5.25V、5.83A）になり、すべての太陽電池セル4にも5.83Aの電流が流れ、蔭になっている太陽電池セル4の動作点は図7に示すF点（0.15V、5.83A）、蔭になっていない太陽電池セル4の動作点は図5に示すG点（1.71V、5.83A）になる。
【００４６】
このように、太陽電池モジュール1aを構成する太陽電池セル4の幾つかが蔭になるパーシャルシェイドの状態では、蔭になった太陽電池セル4の動作電圧が低くなる。
【００４７】
さらに影が大きくなると、蔭になった太陽電池セル4の動作電圧はより一層低くなり、いずれは規定電圧設定部8に設定した規定電圧（-1.2V）に達する。図9および図10は、その時点の、蔭になった太陽電池セル4のIVカーブ（図9）と、太陽電池モジュール1aのIVカーブ（図10）を示す図である。
【００４８】
太陽電池モジュール1aは、MPPT制御により、最大電力が得られる動作点（図10に示すH点、4.15V、4.6A）で動作し、蔭になった太陽電池セル4は図9に示すI点（-1.2V、4.6A）で動作する。このようなパーシャルシェイド状態、すなわち太陽電池セル4の何れかの動作電圧が規定電圧を下回わると、本実施例は、DC/DCコンバータ1bの電力変換動作を停止する。
【００４９】
［制御］
図11は比較回路9の動作例を示すフローチャート、図12はスイッチング制御回路10の動作例を示すフローチャートである。
【００５０】
比較回路9は、最小セル電圧選択回路7が選択し出力する最小セル電圧Vcを入力し(S1)、規定電圧設定部8に設定された規定電圧Vsを入力し(S2)、最小セル電圧Vcと規定電圧Vsを比較して(S3)、Vc≦VsであればステップS1に戻り、Vs＜Vcであればスイッチング制御回路10に停止信号14を出力し(S4)、その後待機状態になる(S5)。なお、この停止後の再起動は、タイマ回路（不図示）を使用して所定間後に、停止信号14を解除して、DC/DCコンバータ1bの停止を解除するように構成すればよい。勿論、停止・再開を数回に亘り繰り返す場合は、太陽電池モジュール1の表面の汚れ、光遮蔽物の被着、継続的に影を形成する物体の存在などを意味するので、インバータ2に警告信号を送り、ユーザに警報を発するように構成することが望ましい。
【００５１】
一方、スイッチング制御回路10は、スイッチング素子13のゲート駆動信号を出力し(S11)、停止信号14を入力し(S12)、停止信号14がアクティブか否か（比較回路9が停止信号14を出力したか否か）を判定し(S13)、停止信号14がアクティブになるとゲート駆動信号を停止して(S14)、ステップS15の判定により、停止信号14が解除される（比較回路9が停止信号14の出力をやめる）までゲート駆動信号を停止する。停止信号14が解除された場合はステップS11に戻り、ゲート駆動信号を出力する。
【００５２】
このように、各太陽電池セル4のセル電圧をセル電圧検出回路6で検出し、太陽電池セル4の何れかのセル電圧が規定電圧を超える（規定電圧以下になる）とDC/DCコンバータ1bを停止する。DC/DCコンバータ1bの動作が停止された時点で、太陽電池モジュール1aの電流はほぼ零、各太陽電池セル4は開放状態になり、その電圧は開放電圧Vocになるため、蔭になった太陽電池セル4に逆電圧は加わらない（図9に示すJ点）。
【００５３】
このように、本実施例によれば太陽電池セル4の逆電圧対策を、バイパスダイオードを用いずに安価に実現することができる。また、規定電圧を0ボルト程度にすることで、逆耐電圧がバイパスダイオードの順方向降下電圧より低い太陽電池セルを直列接続して使用することも可能になる。
【００５４】
上記では、太陽電池モジュール1aとDC/DCコンバータ1bを一体にした構成を用いる例を説明したが、それらを分離した構成にすることも可能である。その場合、太陽電池モジュール1aにセル電圧検出部6および最小セル電圧選択部7を設け、DC/DCコンバータ1bに規定電圧設定部8および比較回路9を設けて、信号線を介して最小セル電圧を太陽電池モジュール1aからDC/DCコンバータ1bに送信する構成をとればよい。なお、その際、信号線に重畳するノイズが問題になるならば、信号を増幅して送信する、ディジタル化して送信するなどの方法や、太陽電池モジュール1aにセル電圧検出部6、最小セル電圧選択部7、規定電圧設定部8および比較回路9を設けてDC/DCコンバータ10に停止信号14を送信する構成を採用すればよい。
【００５５】
太陽電池ストリングを構成する太陽電池セルの直列数が少ない場合、パーシャルシェイドが発生した場合の太陽電池ストリングの電圧降下が大きく、太陽電池ストリングの発電電力が大きく低下する点を考慮すれば、パーシャルシェイドが発生している期間、太陽電池モジュール1の出力を停止しても全体の発電量には大きな影響はないといえる。その分、太陽電池セルの破壊防止の意味しかもたなず、大きな熱損失を伴うためにICチップ化が困難なバイパスダイオードを削減することができ、太陽電池モジュールのコストを低減することができる。
【実施例２】
【００５６】
以下、本発明にかかる実施例2の太陽光発電装置およびシステムを説明するが、実施例1と略同様の構成については、同一符号を付して、その詳細説明を省略する。
【００５７】
実施例1においては、太陽電池セル4に規定電圧を超える逆電圧がかかった場合に、太陽電池セル4に流れる電流を遮断して逆電圧が加わるのを防いだ。すなわち、比較回路9の停止信号14によってDC/DCコンバータ1bの動作を停止するように構成した。
【００５８】
実施例2では、比較回路の信号により、スイッチング素子13をオンする時間の割り合いを減じて（「デューティ比を減じる」と呼ぶ）、太陽電池モジュール1aの出力電流を制限し、太陽電池モジュール1aを、その最適動作点（最大電力動作点）から外れた状態で運転することで、蔭になった太陽電池セル4に逆電圧が加わらない動作点にする。このようにすれば、パーシャルシェイドが発生した場合も太陽電池モジュール1の動作を完全に停止することなく、パーシャルシェイドが解消した場合は短時間に最適動作点に復帰する運転が可能になる。
【００５９】
図13は実施例2の太陽電池モジュール1の構成例を示すブロック図であるが、実施例1の太陽電池モジュール1の構成と異なるのは比較回路19およびスイッチング制御回路20である。
【００６０】
比較回路19は、最小セル電圧Vcと規定電圧Vs（例えば-1.2V）を比較して、Vs＜Vcの場合に、DC/DCコンバータ1bの出力電流を抑制する旨を示す抑制信号21をスイッチング制御回路20に出力する。
【００６１】
なお、実施例1と同様に、最小セル電圧選択回路7を用いずに、セル電圧検出回路6のすべての出力と、規定電圧設定部8の規定電圧を比較回路9に入力し、セル電圧の何れかが規定電圧を下回った場合に抑制信号21を出力する構成にしてもよい。
【００６２】
次に、実施例2における太陽電池モジュール1の動作を説明するが、通常時（パーシャルシェイドが発生していない時）の動作、パーシャルシェイドが発生しても最小セル電圧が規定電圧（例えば-1.2V）以上である場合の動作は実施例1と同じである。実施例1と異なるのは、パーシャルシェイドの影響が大きく、最低セル電圧が規定電圧よりも低くなった場合に、DC/DCコンバータ1bの出力電流を制限して動作電圧を高くし、最小セル電圧が規定電圧未満にならないように運転を継続することである。
【００６３】
図14は比較回路19の動作例を示すフローチャート、図15はスイッチング制御回路20の動作例を示すフローチャートである。
【００６４】
比較回路19は、最小セル電圧Vcを入力し(S21)、規定電圧Vsを入力し(S22)、最小セル電圧Vcと規定電圧Vsを比較して(S23)、Vs＜Vcであればスイッチング制御回路10に抑制信号21を出力し(S24)、Vc≦Vsであれば抑制信号21を解除（抑制信号21が出力されていなければ何もしないことと等価）(S25)、その後、ステップS21に戻る。
【００６５】
一方、スイッチング制御回路20は、抑制信号21を入力し(S31)、抑制信号21がアクティブか否か（比較回路19が抑制信号21を出力したか否か）を判定し(S32)、抑制信号21がアクティブであればMPPT制御用の電流指令値Dを例えば「1」減算(D=D-1)し(S33)、ステップS31へ戻る。従って、抑制信号21がアクティブである限り、電流指令値Dは例えば「1」ずつ減算され、Vc≦Vsになって抑制信号21が解除されるまで、DC/DCコンバータ1bの入力電流（太陽電池モジュール1aの出力電流）は減少する。
【００６６】
抑制信号21がアクティブでなければ、スイッチング制御回路20は、公知公用のMPPT制御を行う。図15に示すMPPT制御の概要は、電流指令値をD=D-1（初期値-1）とし(S34)、その時の太陽電池モジュール1aの出力電力を出力電力1として記録し(S35)、電流指令値をD=D+2（つまり初期値+1）とし(S36)、その時の太陽電池モジュール1aの出力電力を出力電力2として記録し(S37)、記録した出力電力値を比較して(S38)、出力電力値1≦出力電力値2ならば（初期値+1で）ステップS31に戻り、出力電力値1＞出力電力値2ならば電流指令値をD=D-2（つまり初期値-1）とし(S39)、その後、ステップS31に戻る。この電流指令値の調節を繰り返すことで最大電力動作点を追尾する。
【００６７】
次に、比較回路19から抑制信号21が出力される場合の太陽電池セル4および太陽電池モジュール1aの動作点を説明する。
【００６８】
図16は蔭になった太陽電池セル4のIVカーブを、図17は四つの太陽電池セル4の一つが蔭になった場合の太陽電池モジュール1aのIVカーブを示す図である。
【００６９】
図17において、太陽電池モジュール1aの最大電力が得られる動作点はK点になる。その場合、蔭になった太陽電池セル4の動作点は図16に示すようにL点になり、規定電圧（例えば-1.2V）を大きく下回わる。しかし、このような場合、図15に示すように、最小セル電圧が規定電圧を上回るまで電流指令値は減じられ、スイッチング素子13のデューティ比が低減し、蔭になった太陽電池セル4の動作点はL点から電流小・電圧大の方向へシフトし、太陽電池セル4はM点で動作する。なお、図16には、規定電圧を超えて逆電圧が加わるような表記をするが、実際には、動作点がM点を超えないような逐次制御を行うので規定電圧（例えば-1.2V）以下に電圧が下がることはない。
【００７０】
このような制御の結果、太陽電池モジュール1aの動作点はN点になり、最大電力は得られないが、蔭になった太陽電池セル4に規定電圧を超える逆電圧が加わることなく、太陽光発電装置の運転を継続することができる。勿論、蔭になった太陽電池セル4の日射が回復すれば、図15に示したように、MPPT制御により、太陽電池モジュール1aの動作点は最適動作点に移行する。
【００７１】
このように、実施例2においても、太陽電池セル4の逆電圧対策をバイパスダイオードを用いずに安価に構成することができる。また、規定電圧を0V程度に設定することで、逆耐電圧がバイパスダイオードの順方向降下電圧より低いような太陽電池セルを直列接続して使用することが可能になる。
【実施例３】
【００７２】
以下、本発明にかかる実施例3の太陽光発電装置およびシステムを説明するが、実施例1、2と略同様の構成については、同一符号を付して、その詳細説明を省略する。
【００７３】
太陽電池セル4の逆耐電圧に余裕がある場合、最小セル電圧を検出する手段を複数の太陽電池セル4に跨って配置することが可能である。例えば、太陽電池セル4の逆耐電圧が、太陽電池セル4の最大電圧（低温、高日射時の開放電圧）以上の場合、二直列された太陽電池セル4に一つのセル電圧検出部6を設ければ実施例1、2と同様の効果を得ることができる。この場合は、二直列された太陽電池セル4の出力電圧が、負になったら実施例1と同様にDC/DCコンバータ1bの電力変換動作を停止する、もしくは、負にならないように実施例2と同様に電流指令値を抑制すればよい。
【００７４】
図18は実施例3の太陽電池モジュール1の構成例を示すブロック図である。図18においては、太陽電池セル4A、4B、4C、4Dで構成される太陽電池モジュール1aを二つのブロックに分割し、太陽電池セル4Aおよび4Bで太陽電池ブロック22を、太陽電池セル4Cおよび4Dで太陽電池ブロック23を構成する。さらに、二つのセル電圧検出部6を太陽電池ブロック22、23それぞれの両端電位差を検出するように配置する。なお、ここでいう太陽電池ブロックとは、セル電圧検出部6の測定対象である太陽電池セル4の一つ以上の直列体をいう。また、その意味では、実施例1、2は太陽電池セル4の一つひとつが太陽電池ブロックである。
【００７５】
このような構成で、太陽電池ブロックの出力電圧が負になったら、実施例1のようにDC/DCコンバータ1bの電力変換動作を停止したり、実施例2のように電流指令値を抑制したりすれやればよい。
【００７６】
このように、複数の太陽電池セル4に跨ってセル電圧検出部6を設ければ、セル電圧検出部6の必要数を減じて、太陽電池モジュール1のコストダウンを図ることができる。
【図面の簡単な説明】
【００７７】
【図１】太陽電池モジュールの構成を示す図、
【図２】太陽光発電システムの概観図、
【図３】太陽光発電システムの構成例を示すブロック図、
【図４】太陽電池モジュール1の詳細な構成例を示す図、
【図５】定格日射（1kW/m2）時にで、すべてのセルが蔭になっていない状態の太陽電池セルのIVカーブを示す図、
【図６】太陽電池モジュール1aのIVカーブを示す図、
【図７】蔭になった太陽電池セルのIVカーブを示す図、
【図８】四つの太陽電池セルの一つが蔭になった場合の太陽電池モジュール1aのIVカーブを示す図、
【図９】蔭になった太陽電池セル4のIVカーブを示す図、
【図１０】太陽電池モジュール1aのIVカーブを示す図、
【図１１】比較回路の動作例を示すフローチャート、
【図１２】スイッチング制御回路の動作例を示すフローチャート、
【図１３】実施例2の太陽電池モジュールの構成例を示すブロック図、
【図１４】比較回路の動作例を示すフローチャート、
【図１５】スイッチング制御回路の動作例を示すフローチャート、
【図１６】蔭になった太陽電池セルのIVカーブを示す図、
【図１７】四つの太陽電池セルの一つが蔭になった場合の太陽電池モジュール1aのIVカーブを示す図、
【図１８】実施例3の太陽電池モジュール1の構成例を示すブロック図である。
【図１】
2005276942.tif 000003
【図２】
2005276942.tif 000004
【図３】
2005276942.tif 000005
【図４】
2005276942.tif 000006
【図５】
2005276942.tif 000007
【図６】
2005276942.tif 000008
【図７】
2005276942.tif 000009
【図８】
2005276942.tif 000010
【図９】
2005276942.tif 000011
【図１０】
2005276942.tif 000012
【図１１】
2005276942.tif 000013
【図１２】
2005276942.tif 000014
【図１３】
2005276942.tif 000015
【図１４】
2005276942.tif 000016
【図１５】
2005276942.tif 000017
【図１６】
2005276942.tif 000018
【図１７】
2005276942.tif 000019
【図１８】
2005276942.tif 000020